(57)【要約】【課題】光ディスクにおいて記録可能なデータ量を利用者が視認し得る新たな仕組みを提供する。【解決手段】描画層に形成される画像は、光ディスク１の中心を中心とする円形の画像である。図１１（ａ）、（ｂ）に示すように、画像（レーザ光により変色されられた領域）の大きさは、データ記録層におけるデータ記録済み量に応じた大きさとなっている。よって、図１１（ａ）、（ｂ）と、図１１（ｃ）、（ｄ）とを比較すると分かるように、記録済みデータ量が増加するに従って、描画層において変色した領域が光ディスク１の中心から同心円状に当該ディスクの外縁に向かって徐々に大きくなる。これにより、光ディスクにおいて記録可能なデータ量を利用者が認識することができる。【選択図】図１１
2008034019.tif 000002
【特許請求の範囲】
【請求項１】
データが記録されるデータ記録層と、当該データ記録層とは異なる位置に設けられ、熱又は光により変色する変色層とを有する光ディスクに対し、当該光ディスクの一方の面から当該データ記録層又は当該変色層のいずれかに対して焦点を合わせたレーザ光を照射する照射手段と、
データに応じたレーザ光を前記照射手段から前記データ記録層に焦点を合わせて照射させることで、前記データ記録層にデータを記録するデータ記録手段と、
前記データ記録層に記録されたデータの量である記録済みデータ量又は前記データ記録層に記録可能なデータの量である記録可能データ量を特定する特定手段と、
レーザ光を前記照射手段から前記描画層に焦点を合わせて照射させ、前記描画層においてレーザ光が照射された領域を変色させることで、前記特定手段によって特定された前記記録済みデータ量又は前記記録可能データ量を表す画像を前記描画層に描画する描画手段と
を備えることを特徴とする光ディスク記録装置。
【請求項２】
前記描画手段は、前記特定手段によって特定された前記記録済みデータ量又は前記記録可能データ量を文字で表した画像を描画する
ことを特徴とする請求項１記載の光ディスク記録装置。
【請求項３】
前記描画手段は、前記特定手段によって特定された前記記録済みデータ量を、前記描画層においてレーザ光が照射されて変色させられた領域の大きさによって表した画像を描画する
ことを特徴とする請求項１記載の光ディスク記録装置。
【請求項４】
前記描画手段は、前記特定手段によって特定された前記記録済みデータ量が増加するに従って、前記描画層においてレーザ光が照射されて変色させられた領域が前記光ディスクの中心から同心円状に当該ディスクの外縁に向かって大きくなるような画像を描画する
ことを特徴とする請求項３記載の光ディスク記録装置。
【請求項５】
前記描画手段は、前記描画層においてレーザ光が照射されて変色させられることによって前記光ディスクの外縁に沿って形成された扇形の中心角が、前記特定手段によって特定された前記記録済みデータ量が増加するに従って大きくなるような画像を描画する
ことを特徴とする請求項３記載の光ディスク記録装置。
【請求項６】
前記描画手段は、前記特定手段によって特定された前記記録済みデータ量が増加するに従って、前記描画層においてレーザ光が照射されて変色させられた領域が前記光ディスクの中心から当該ディスクの外縁に向かって螺旋状に長くなるような画像を描画する
ことを特徴とする請求項３記載の光ディスク記録装置。
【請求項７】
前記描画手段は、前記描画層においてレーザ光が照射されて変色させられた領域において、前記特定手段によって特定された前記記録済みデータ量又は前記記録可能データ量を表す文字に相当する領域に対してはレーザ光を照射させないことで、前記記録済みデータ量又は前記記録可能データ量を文字で表した画像を描画する
ことを特徴とする請求項３記載の光ディスク記録装置。
【発明の詳細な説明】
【技術分野】
【０００１】
本発明は、光ディスクに対するデータの記録状況を表すを当該ディスクに形成するための技術に関する。
【背景技術】
【０００２】
例えばＣＤ−Ｒ（Compact Disc-Recordable）、ＣＤ−ＲＷ（Compact Disc-Rewritable）、或いはＤＶＤ−Ｒ（Digital Versatile Disk-Recordable）等の追記型光ディスクに対しては、その記録容量に達するまでは複数回にわたってデータを追記することができる。この場合、記録可能なデータ量（以下、残量という）を利用者が視認し得るような仕組みがあれば便利である。なぜなら、光ディスクに対して記録を開始する前に、光ディスクの残量が記録対象となるデータのサイズを上回っているか否かを予め確認することができるからである。そこで、例えば特許文献１には、熱によって色調が変化する色調変化材を光ディスクのレーベル面に塗布した光ディスクが提案されている。このような光ディスクを用いると、データ記録時に発生する熱によって色調変化材の色調が変化するから、レーベル面を見るだけで、データが記録された領域と、データが記録されていない領域とを区別することができ、光ディスクの残量をおおよそ予測することができるというわけである。
【特許文献１】特開２００１−６２２３号公報
【発明の開示】
【発明が解決しようとする課題】
【０００３】
本発明は、上述した背景に鑑みてなされたものであり、光ディスクにおいて記録可能なデータ量を利用者が認識し得る新たな仕組みを提供することを目的としている。
【課題を解決するための手段】
【０００４】
上記課題を解決するため、本発明は、データが記録されるデータ記録層と、当該データ記録層とは異なる位置に設けられ、熱又は光により変色する変色層とを有する光ディスクに対し、当該光ディスクの一方の面から当該データ記録層又は当該変色層のいずれかに対して焦点を合わせたレーザ光を照射する照射手段と、データに応じたレーザ光を前記照射手段から前記データ記録層に焦点を合わせて照射させることで、前記データ記録層にデータを記録するデータ記録手段と、前記データ記録層に記録されたデータの量である記録済みデータ量又は前記データ記録層に記録可能なデータの量である記録可能データ量を特定する特定手段と、レーザ光を前記照射手段から前記描画層に焦点を合わせて照射させ、前記描画層においてレーザ光が照射された領域を変色させることで、前記特定手段によって特定された前記記録済みデータ量又は前記記録可能データ量を表す画像を前記描画層に描画する描画手段とを備えることを特徴とする光ディスク記録装置を提供する。この発明によれば、光ディスクにおいて記録可能なデータ量を利用者が認識することができる。
【０００５】
前記描画手段は、前記特定手段によって特定された前記記録済みデータ量又は前記記録可能データ量を文字で表した画像を描画するようにしてもよい。このようにすれば、より詳細な記録済みデータ量又は記録可能データ量については文字を見れば特定することが可能となる。
【０００６】
また、前記描画手段は、前記特定手段によって特定された前記記録済みデータ量を、前記描画層においてレーザ光が照射されて変色させられた領域の大きさによって表した画像を描画するようにしてもよい。これにより、変色させられた領域の大きさを見れば記録済みデータ量又は記録可能データ量をおおよそ把握することができるこの場合、例えば、前記描画手段は、前記特定手段によって特定された前記記録済みデータ量が増加するに従って、前記描画層においてレーザ光が照射されて変色させられた領域が前記光ディスクの中心から同心円状に当該ディスクの外縁に向かって大きくなるような画像を描画するようにしてもよいし、前記特定手段によって特定された前記記録済みデータ量が増加するに従って、前記描画層においてレーザ光が照射されて変色させられた領域が前記光ディスクの中心から当該ディスクの外縁に向かって螺旋状に長くなるような画像を描画するようにしてもよいし、或いは、前記描画層においてレーザ光が照射されて変色させられることによって前記光ディスクの外縁に沿って形成された扇形の中心角が、前記特定手段によって特定された前記記録済みデータ量が増加するに従って大きくなるような画像を描画するようにしてもよい。
【０００７】
また、前記描画手段は、前記描画層においてレーザ光が照射されて変色させられた領域において、前記特定手段によって特定された前記記録済みデータ量又は前記記録可能データ量を表す文字に相当する領域に対してはレーザ光を照射させないことで、前記記録済みデータ量又は前記記録可能データ量を文字で表した画像を描画するようにしてもよい。このようにすれば、変色させられた領域の大きさを見れば記録済みデータ量又は記録可能データ量をおおよそ把握することができる一方、より詳細な記録済みデータ量又は記録可能データ量については文字を見れば特定することが可能となる。
【発明の効果】
【０００８】
本発明によれば、光ディスクにおいて記録可能なデータ量を利用者が認識することができる。
【発明を実施するための最良の形態】
【０００９】
以下、図面を参照して本発明の実施形態について説明する。
本実施形態に係る光ディスク記録装置は、光ディスクに対して例えば音楽データのデータを記録・再生する機能（データ記録・再生機能）と、その光ディスクにおいて記録可能なデータ量を利用者が視認し得るような画像を描く機能（描画機能）とを有している。この画像は、光ディスクに記録されたデータの量である記録済みデータ量か、又は、光ディスクに記録可能なデータの量である記録可能データ量の少なくともいずれか一方を表している。画像が記録済みデータ量を表している場合であっても、その画像を見る利用者が光ディスクのそもそもの記録容量を知っている場合には、その記録容量から記録済みデータ量を差し引くことで、光ディスクに記録可能なデータ量を認識することが可能である。
以下の説明では、まずはじめに、光ディスクの構成を説明し、その次に、光ディスク記録装置についての説明を行う。
【００１０】
（１）光ディスクの構成
図１は、本実施形態に係る３種類の光ディスク、即ち、ＤＶＤ−Ｒ、ＣＤ−Ｒ、ＣＤ−Ｒ／ＤＶＤ−Ｒ混合型光ディスクの断面図である。ＤＶＤ−Ｒ１ａにおいては、記録面Ｄａからレーベル面Ｌａに向かって順番に、ポリカーボネート層１０１ａ、データ記録層１０３ａ、半透明層１０４ａ、中間層１０５ａ、描画層１０６ａ、半透明層１０７ａ及びポリカーボネート層１０８ａとが積層されている。ＤＶＤ−Ｒ１ａの厚さはおおよそ１．２（ｍｍ）であるが、そのうちポリカーボネート層１０１ａ及びポリカーボネート層１０８ａがそれぞれ０．６（ｍｍ）程度を占めており、データ記録層１０３ａから半透明層１０７ａまでの厚さは微少な距離Δｄ１である。
【００１１】
データ記録層１０３ａの記録面Ｄａ側には、螺旋状のグルーブ（案内溝）１０２ａが形成されている。データ記録時には、対物レンズ３３ａの位置が矢印Ｐ方向の適切な位置に調整され、半透明層１０４ａからの反射光に基づいて、データ記録層１０３ａにレーザ光の焦点が合わせられる。そして、記録すべきデータに応じた強度のレーザ光が、データ記録層１０３ａのグルーブ１０２ａに沿って照射される。このときレーザ光が照射された箇所にはデータ長に対応するピットが形成され、これによりデータ記録が行われる。なお、記録したデータを読み出して再生を行う場合は、グルーブ１０２ａに沿って記録時よりも弱い強度のレーザ光が照射され、その反射光（戻り光）の強度が検知されることでデータ再生が実現される。
【００１２】
描画層１０６ａは、或る強度のレーザ光が照射されると変色する物質によって形成された変色層である。描画時には、対物レンズ３３ａの位置が矢印Ｐ方向の適切な位置に調整され、半透明層１０７ａからの反射光に基づいて、描画層１０６ａにレーザ光ｌａの焦点が合わせられる。そして、或る強度のレーザ光ｌａが照射されると、レーザ光ｌａが照射された描画層１０６ａの領域が変色する。この変色した領域と変色していない領域によって、ユーザが視認可能な画像が形成される。なお、図１では、描画層１０６ａに焦点が合わせられたレーザ光ｌａが照射されている場合を示している。
【００１３】
次に、ＣＤ−Ｒ１ｂについて説明する。
ＣＤ−Ｒ１ｂにおいては、記録面Ｄｂからレーベル面Ｌｂに向かって順番に、ポリカーボネート層１０１ｂ、データ記録層１０３ｂ、半透明層１０４ｂ、中間層１０５ｂ、描画層１０６ｂ、半透明層１０７ｂ及び保護層１０８ｂとが積層されている。記録層１０３ｂの記録面Ｄａ側には、螺旋状のグルーブ１０２ｂが形成されている。描画層１０６ａは、或る強度のレーザ光が照射されると変色する性質を有している。ＤＶＤ−Ｒ１ａと同じく、ＣＤ−Ｒ１ｂの厚さはおおよそ１．２（ｍｍ）であるが、その大半はポリカーボネート層１０１ｂの厚さであり、データ記録層１０３ｂから保護層１０８ｂまでの厚さは微少な距離Δｄ２である。
【００１４】
このＣＤ−Ｒ１ｂに対してデータを記録・再生するときや、画像の形成するときの原理は、ＤＶＤ−Ｒ１ａと同様である。つまり、データ記録時には、データ記録層１０３ｂに焦点が合わせられて、記録すべきデータに応じた強度のレーザ光が、グルーブ１０２ｂに沿って照射される。また、描画時には、描画層１０６ｂに焦点が合わせられたレーザ光ｌｂが照射され、その照射された領域が変色する。この変色した領域と変色していない領域によって、ユーザが視認可能な画像が形成される。なお、図１では、描画層１０６ｂに焦点が合わせられたレーザ光ｌｂが照射されている場合を示している。
【００１５】
次に、ＣＤ−Ｒ／ＤＶＤ−Ｒ１ｃについて説明する。
ＣＤ−Ｒ／ＤＶＤ−Ｒ１ｃにおいては、記録面Ｄｃからレーベル面Ｌｃに向かって順番に、ポリカーボネート層１０１ｃ、データ記録層１０３ｃ、半透明層１０４ｃ、中間層１０５ｃ、描画層１０６ｃ、半透明層１０７ｃ及び保護層１０８ｃとが積層されている。記録層１０３ｃの記録面Ｄｃ側には、螺旋状のグルーブ１０２ｃが形成されている。描画層１０６ｃは、或る強度のレーザ光が照射されると変色する性質を有している。ＤＶＤ−Ｒ１ｃやＣＤ−Ｒ１ｂと同じく、ＣＤ−Ｒ／ＤＶＤ−Ｒ１ｃの厚さはおおよそ１．２（ｍｍ）であるが、その大半はポリカーボネート層１０１ｃ及び中間層１０５ｃの厚さであり、データ記録層１０３ｃから半透明層１０４ｃまでの厚さは微少な距離Δｄ３であり、描画層１０６ｃから保護層１０８ｃまでの厚さは微少な距離Δｄ４である。
【００１６】
このＣＤ−Ｒ／ＤＶＤ−Ｒ１ｃに対してデータを記録・再生するときや、画像の形成するときの原理も、ＤＶＤ−Ｒ１ａやＣＤ−Ｒ１ｂと同様である。つまり、データ記録時には、データ記録層１０３ｃに焦点が合わせられて、記録すべきデータに応じた強度のレーザ光がグルーブ１０２ｃに沿って照射される。また、描画時には、描画層１０６ｃに焦点が合わせられたレーザ光ｌｃが照射され、その照射された領域が変色する。この変色した領域と変色していない領域によって、ユーザが視認可能な画像が形成される。なお、図１では、描画層１０６ｃに焦点が合わせられたレーザ光ｌｃが照射されている場合を示している。
【００１７】
（２）システム及び装置構成
本実施形態に係るシステムは、図２に示すように、ホスト装置１０と光ディスク記録装置１２とを相互に通信可能な状態に接続して構成される。光ディスク記録装置１２は、ホスト装置１０に内蔵する形式でも外付けする形式でもよい。光ディスク記録装置１２には、前述したＤＶＤ−Ｒ１ａ，ＣＤ−Ｒ１ｂ，ＣＤ−Ｒ／ＤＶＤ−Ｒ１ｃのいずれか（以下、光ディスク１と総称する）が装填される。
【００１８】
光ディスク記録装置１２において、光ディスク１はスピンドルモータ３０によって回転させられる。スピンドルサーボ３２は、スピンドルモータ３０の回転を、記録時および再生時は線速度一定に制御し（CLV制御）、描画時は回転数一定に制御する（CAV制御）。光ピックアップ３４（光ヘッド）は、ステッピングモータ３６で駆動される送りねじ等による送り機構３８により、光ディスク１の径方向（図中左右方向）に移送される。モータドライバ４０はシステム制御部５６の指令に基づきステッピングモータ３６を駆動する。
【００１９】
ステッピングモータ３６は、例えば図３に示す形式の２相ステッピングモータによって構成される。この２相ステッピングモータ３６は、２つのコイル３６a，３６bを備えており、モータドライバ４０を構成する各ドライバ４０a，４０bから各コイル３６a，３６bに印加される２相の駆動パルスによりバイポーラ駆動される。この２相ステッピングモータ３６をフルステップ駆動する場合に、各コイル３６a，３６bに印加する駆動／パルスA，Bの電圧波形を図４に示す。この駆動パルスA，Bはデューティがともに５０％で極性が交互に切り替わる、位相が相互に９０°ずれた方形波信号である。この駆動／パルスA，Bを使用することにより、ロータ３７は１ステップにつき９０°ずつ回転する。ステッピングモータ３６の駆動方式にマイクロステップ駆動方式を用いることにより、１ステップあたりの回転角度を小さくすることができる。２相ステッピングモータ３６をマイクロステップ駆動する場合に各コイル３６a，３６bに印加する駆動パルスA，Bの電圧波形の一例を図５に示す。図５は１フルステップあたりの分割数を「５」とした場合の波形であり、この駆動パルスを使用することにより、ロータ３７は１マイクロステップにつき、フルステップ駆動の場合の１ステップの１／５の移動量（＝１８°）ずつ回転する。
【００２０】
再び図２において、フォーカスサーボ４２は、データ記録および再生時並びに描画時に光ピックアップ３４のフォーカス制御を行う。フォーカスジャンプ信号発生器４３は、データ記録及び再生時には、光ディスク１のデータ記録層にレーザ光の焦点を合わせるように指示する制御信号を生成する一方、描画時には、光ディスク１の描画層にレーザ光の焦点を合わせるように指示する制御信号を発生する。トラッキングサーボ４４は、データ記録および再生時に光ピックアップ３４のトラッキングサーボ制御を行う。ただし、描画時においては、トラッキングサーボ制御はオフされる。
【００２１】
振動信号発生器４６は、描画時に振動信号を発生し、これを光ピックアップ３４のトラッキングアクチュエータに供給して対物レンズ３３を振動させる。これにより、レーザ光が、光ディスク１の径方向に、光ピックアップ３４の１マイクロステップ動作による単位送り量よりも大きい振幅で振動させられる。この振動動作により、レーザ光は光ピックアップ３４の単位送り量よりも広い幅で蛇行しながら描画層を走査する。これにより、後述するように、同一周方向位置の重ね書き動作と相侯って、隙間の少ない描画を行うことができる。レーザドライバ４８は、データ記録および再生時並びに描画時に光ピックアップ３４のレーザダイオードを駆動する。ＡＬＰＣ（Automatic Laser Power Control）回路５０は、データ記録および再生時並びに描画時にレーザパワーをそれぞれ指令された値に制御する。
【００２２】
エンコーダ５２は、データ記録時において、記録データを光ディスク１の形式（ＣＤ又はＤＶＤ）に応じたフォーマットにエンコードする。レーザドライバ４８はこのエンコードされた記録データに応じてレーザ光を変調し、その記録データを光ディスク１のデータ記録層にピットとして記録する。一方、エンコーダ５２は、描画時においては、画像データを構成する画素の階調データに応じてデューティが変化するパルス信号（描画信号）を生成する。レーザドライバ４８はこのデューティが変化するパルス信号に応じてレーザ光を変調し、光ディスク１の描画層２４の可視光特性を変化させて（つまり変色させて）、モノクロ多階調による描画を行う。デコーダ５４は、データ再生時に光ピックアップ３４が受光した戻り光に応じた受光信号をEFM復調してデータ再生を行う。
【００２３】
ホスト装置１０は、記録データを光ディスク記録装置１２に送信する。この記録データは、光ディスク記録装置１２のインタフェース５８で受信されてバッファメモリ６０に一旦蓄えられられた後、読み出されてエンコーダ５２に供給される。データ再生時は、デコーダ５４で再生されたデータがインタフェース５８を介してホスト装置１０に転送される。また、ホスト装置１０は、データ記録および再生時並びに描画時に、操作者による指令を光ディスク記録装置１２に送信する。この指令はインタフェース５８を介してシステム制御部５６に送信される。システム制御部５６は該指令に応じた指令を光ディスク記録装置１２内の各回路に送り、該当する動作を実行させる。
【００２４】
光ディスク記録装置１２内のメモリ６２には、光ディスク記録装置１２において予め設定されている描画条件と、操作者が設定可能な描画条件が記憶されている。「予め設定されている描画条件」としては、光ピックアップ３４を光ディスク１の径方向に移送する単位送り量の算出に用いられる「ステッピングモータ３６の１フルステップ動作による光ピックアップ３４の送り量N」と、「ステッピングモータ３６のマイクロステップ動作の分割数M」とが記憶されている。また、「操作者が設定可能な描画条件」としては、「光ディスクの回転速度」と、「エンコーダ５２による画像データのエンコード速度」とを組み合わせた複数種類の「描画モード」の情報が記憶されている。
【００２５】
次に、図６を参照してエンコーダ５２の構成を説明する。
図６において、エンコーダ回路６４は、データ記録時は記録データ、描画時は画像データを入力する。エンコーダ回路６４は、データ記録時は記録データをインタリープ処理した後にEFM変調し、さらに、同期処理や、パリティデータおよびマージンビットの付加処理や、NRZI（NonReturn toZeroInvert）変換処理を施して、１EFMフレームを構成する記録信号を連続して作成する。エンコーダ回路６４で作成された記録信号はアンドゲート６８をそのまま通過し、レーザドライバ４８に供給される。レーザドライバ４８はこの記録信号に応じてレーザダイオード７０を駆動してレーザ光のパワーを２値に変調し、該記録信号を光ディスク１のデータ記録層にピットとして記録する。つまり、レーザドライバ４８は、記録信号が“H”レベルの区間でレーザパワーをピットが形成されるレベルに上げ、記録信号が“L”レベルの区間でレーザパワーをピットが形成されないレベルに下げる。
【００２６】
エンコーダ回路６４は、描画時における画像データを、データ記録時の記録データと同様に扱って処理をする。ただし、インタリーブ処理を行わないようにすることもできる。インタリープ処理を行わない場合は、エンコーダ回路６４は画像データをインタリープ処理をせずにそのままEFM変調し、さらに、同期処理や、パリティデータおよびマージンビットの付加処理や、NRZI変換処理を施して、１EFMフレームを構成する記録信号を連続して作成する。ここで、１EFMフレームのデータには、１画素分の画像データ（その画素の階調を表す階調データ）が含まれている。本実施形態では、１画素のデータを１EFMフレーム長で表すようにしている。
【００２７】
デコーダ回路６６はデータ記録時と描画時とで切り換えられる。まずデータ記録時には、デコーダ回路６６は“H”レベルの信号を連続して出力する。この“H”レベルの信号はアンドゲート６８の一方の入力端に入力される。したがって、データ記録時にアンドゲート６８の他方の入力端に入力されるエンコーダ回路６４の出力、すなわち記録信号はアンドゲート６８をそのまま通過することになる。一方、描画時には、デコーダ回路６６は、エンコーダ回路６４から出力されるデータをEFM復調して、１EFMフレームにつき１画素分ずつ、その画素の階調データを取得する。そして、デコーダ回路６６は、周期が１EFMフレーム長で、デューティがこの取得した画索ごとの階調データに応じて変化するパルス信号DOTXを出力する。このパルス信号DOTXはアンドゲート６８の一方の入力端に入力される。したがって、描画時において、アンドゲート６８は、１EFMフレーム周期ごとに、対応する画素の階調値に応じた時間だけゲートを開いて、他方の入力端に入力されているエンコーダ回路６４の出力信号（NRZI変換されたEFM信号）をその時間だけ通過させる。このアンドゲート６８から出力されるNRZI信号の断片信号WEN（１つの画素を描画する描画信号）は、そのデータ単体はもはや意味を持たないが、NRZI信号であるので、デューティは約５０％である。したがって、１画素に対応する１EFMフレーム周期中にアンドゲート６８を通過するNRZI断片信号WENの１EFMフレーム長に対するデューティ（１EFMフレーム長に対する、その期間にアンドゲート６８を通過するNRZI断片信号WENのパルス幅の合計値の比率）は、パルス信号DOTXのデューティに対応したもの、すなわち対応する画素の階調値に対応したものとなる。
【００２８】
描画時にアンドゲート６８から出力されるNRZI断片信号WENは、描画信号としてレーザドライバ４８に供給される。レーザドライバ４８は、この描画信号WENに応じてレーザダイオード７０を駆動してレーザ光のパワーを２値に変調し、光ディスク１の描画層に照射する。具体的には、レーザドライバ４８は、描画信号WENが“H”レベルの区間ではレーザパワーを描画するレベルに上げ、描画信号WENが“L”レベルの区間ではレーザパワーを描画されないレベルに下げる。この場合、１EFMフレーム長に相当する光ディスク１上での周方向の距離（すなわち１画素を描画するのに割り当てられた周方向の長さ）はきわめて短いので、描画された１つの画素は人の目には１つの点（ドット）としてことになる。デューティが高いほど淡い描画として感じられる。このようにして、光ディスク１の描画層に形成される画像において階調を表現することができる。
【００２９】
ここで、描画時にデコーダ回路６６から出力されるパルス信号DOTXのデューティの設定について、図７，８を参照して説明する。
図７はEFMフレームのデータ構造とパルス信号DOTXとの関係を示す。図７（a）の「ビット列」はNRZI信号のフォーマットを表し、図中の数字はビット数である。図７（b）の「データ構造」はEFMフレームのデータ構造を表す。「EFM sync」は、EFMフレームの区切りを示すシンクパターン、「Ｄ０」〜「Ｄ２３」はデータ、「Ｐ０」〜「Ｐ３」はＰパリティ、「Ｑ０」〜「Ｑ３」はＱパリティ、「ｍ」はマージンビットである。このＥＦＭフレームのデータ構造自体はデータ記録用も描画用も同じである。データ記録用と描画用とで異なるのは、データＤ０〜Ｄ２３の内容である。すなわち、データ記録用のデータＤ０〜Ｄ２３は記録する情報を表すデータであるのに対し、描画用のデータＤ０〜Ｄ２３はこの１EFMフレームに割り当てられた１画素の階調に応じたデータである。
【００３０】
図７（c）の「DOTX」はパルス信号DOTXである。このパルス信号DOTXは、１EFMフレーム長を区間０〜２３に２４等分して、該分割された区間単位で“H”レベルまたは“L”レベルに設定される（デューティが０〜１００％まで変化する）信号である。図７において矢印で示すように、データＤ０〜Ｄ２３は、パルス信号DOTXの区間０〜２３にそれぞれ対応づけられている。そして、データＤ０〜Ｄ２３が特定のコードの場合にパルス信号DOTXの対応する分割区間が“H”レベルに設定され、それ以外のコードの場合にパルス信号DOTXの対応する分割区間が“L”レベルに設定される。すなわち、デコーダ回路６６（図６）で復調された階調データ（ここでは、第０階調〜第２４階調の２５段階の階調を表すデータIに応じて、第０階調（描画なし）の場合はパルス信号DOTXの全分割区間が“L”レベルに設定され、第１階調の場合はパルス信号DOTXの１つの分割区間のみ“H”レベルに設定され、第２階調の場合はパルス信号DOTXの２つの分割区間が“H”レベルに設定され、…、第２４階調（最も浪い濃度）の場合はパルス信号DOTXの全分割区間が“H”レベルに設定される。
【００３１】
図８は、第０階調〜第２４階調の２５段階の階調毎のパルス信号DOTXの波形の一例を示す。この設定では、パルス信号DOTXの“H”レベルの区間は、階調数が上がるにつれて、１EFMフレーム長の区間の中央部付近から前後両側に順次広がっていく。デコーダ回路６６は、復調した階調データに応じて、図８に示すパルス信号DOTXが生成されるように、データＤ０〜Ｄ２３の値をそれぞれ設定する。即ち、データＤ０〜２３のうち、パルス信号DOTXを“H”レベルに設定する分割区間に対応するデータを前記特定のコードに設定し、パルス信号DOTXを“L”レベルに設定する分割区間に対応するデータを該特定のコード以外のコードに設定する。また、エンコーダ５２の描画時の動作波形を図９に示す。図９において、（a）のNRZI信号は、アンドゲート６８で（b）のパルス信号DOTXにより１EFMフレーム長の周期でスイッチングされて、（c）のNRZI断片信号WENが作成される。なお、図９のNRZI信号及びWEN信号は、説明を分かりやすくするために、簡易的な波形にしたものである。
【００３２】
（３）動作
次に、以上説明したシステムの動作説明を行う。
図１０は、システム制御部５６の動作を表したフローチャートである。図１０において、光ディスク記録装置１２に光ディスクが挿入されると（ステップＳ１）、システム制御部５６によって光ディスク１のデータ記録面へのデータ記録が開始される（ステップＳ２）。具体的には、スピンドルサーボ３２は光ピックアップ３４の受光信号から抽出されるウオブル信号が所定の周波数となるようにスピンドルモータ３０を線速度一定に制御する。フォーカスサーボ４２及びトラッキングサーボ４４はオンされる。振動信号発生器４６は振動信号の発生を停止している。システム制御部５６は、トラッキングサーボの残留誤差に基づき、ステッピングモータ３６を所定量駆動し、光ピックアップ３４をディスク外周方向に順次移送し、対物レンズ３３の光軸位置が常に光ディスク１の記録位置付近となるように制御する。ホスト装置１０からは記録データが光ディスク記録装置１２に転送される。その記録データはインタフェース５８を介してバッファメモリ６０にいったん蓄えられる。この記録データは、記録の進行に応じて、バッファメモリ６０から順次読み出されてエンコーダ５２でインタリープ処理後にEFM変調され、さらにNRZI信号に変換される。NRZI信号は、ＡＬＰＣ回路５０を介してレーザドライバ４８に供給される。レーザドライバ４８は、レーザ光をNRZI信号で変調する。変調されたレーザ光は光ピックアップ３４から出射され、光ディスク１のデータ記録層に照射されてデータの記録が行われる。
【００３３】
データを記録し終わると（ステップＳ３；Ｙｅｓ）、システム制御部５６は、光ディスク１に画像を描画するか否かを判断する（ステップＳ４）。例えば利用者が光ディスク１において記録可能なデータ量を視認することを望まないときには画像形成を行わないことが予め光ディスク記録装置１に設定されており、この場合は、システム制御部５６によって、光ディスク１に画像を描画しないと判断される。一方、利用者が光ディスクにおいて記録可能なデータ量を視認することを望むときにはその旨が予め光ディスク記録装置１に設定されており、この場合、システム制御部５６によって画像を描画すると判断される（ステップＳ４；Ｙｅｓ）。
【００３４】
システム制御部５６は、まず光ディスク１のリードイン領域などを参照して、そのディスクに記録済みのデータ量を特定（取得）する（ステップＳ５）。そして、システム制御部５６は、特定（取得）した記録済みデータ量に基づき、画像を描画するための画像データを生成する（ステップＳ６）。このとき、システム制御部５６は、直行座標系の原画像データを生成してから、その座標系を極座標系に変換した描画用画像データを生成する。この画像データは例えばモノクロ多階調のビットマップ形式で構成されるもので、光ディスク１に描画しようとする１枚の画像を構成する各画素の階調を表すデータ（階調データ）の集合で構成される。この画像データはバッファメモリ６０に一旦蓄えられる。この画像データが表す画像は、記録済みデータ量又は記録可能データ量を、描画層にレーザ光が照射されて変色させられた領域の大きさによって表した画像である。
【００３５】
次に、システム制御部５６は、フォーカスジャンプ信号発生器４３に指示を送り、光ディスク１の描画層にレーザ光の焦点を合わせるように指示する。これによって、レーザ光のフォーカスがデータ記録層から描画層にジャンプし（ステップＳ７）、描画が開始される（ステップＳ８）。描画が開始されると、スピンドルサーボ３２が、スピンドルモータ３０から所定回転角毎に出力きれるFG／パルス（例えば１周あたり６個あるいは１８個の／パルスが均等な角度間隔で出力される。）と、水晶発振クロックを分周したクロックとが位相同期するように、ＰＬＬ制御でスピンドルモータ３０を回転数一定に制御する。このときフォーカスサーボ４２はオンされ、トラッキングサーボ４４はオフされる。振動信号発生器４６は振動信号を発生する。システム制御部５６はディスク回転を検出し、重ね書き回数として指示された周回数ごとに、一定の回転角度位置で、ステッピングモータ３６を所定量駆動し、光ピックアップ３４をディスク外周方向に順次移送する。
【００３６】
画像データは、描画の進行に応じてバッファメモリ６０から順次読み出されてエンコーダ５２でEFM変調され（またはインタリープ処理後にEFM変調され）、次いでNRZI信号｛図９（a）｝に変換され、さらに、画像データを構成する各画素の階調値に応じたデューティのNRZI断片信号WEN｛図９（c）｝に変調される。このNRZI断片信号WENは、ＡＬＰＣ回路５０を介してレーザドライバ４８に供給される。レーザドライバ４８は描画用レーザ光をNRZI断片信号WENで変調する。変調された描画用レーザ光は光ピックアップ３４から出射され、光ディスク１の描画層に照射される。描画が終了すると（ステップＳ９；Ｙｅｓ）、光ディスク１は光ディスク記録装置１２の外に排出される（ステップＳ１０）。
【００３７】
以上はデータ記録時と描画指示の動作であったが、データ再生時の動作は次のようになる。
まず、スピンドルサーボ３２は、光ピックアップ３４の受光信号から再生されるクロックが所定の周波数となるようにスピンドルモータ３０を線速度一定（CLV）に制御する。フォーカスサーボ４２およびトラッキングサーボ４４はオンされる。振動信号発生器４６は振動信号の発生を停止する。システム制御部５６は、トラッキングサーボの残留誤差に基づき、ステッピングモータ３６を所定量駆動し、光ピックアップ３４をディスク外周方向に順次移送し、対物レンズ３３の光軸位置が常に光ディスク１の再生位置付近となるように制御する。光ピックアップ３４は、再生用のレーザ光を出射して、光ディスク１のデータ記録層に記録されている信号を読み取る。光ピックアップ３４で読み取られた信号はデコーダ５４でEFM復調され、インタフェース５８を介して光ディスク記録装置１２から出力され、ホスト装置１０に転送される。
【００３８】
ここで、図１１は、光ディスク１の記録面から見たときのデータ記録状況と、光ディスク１のレーベル面から見たときの描画状況との関係を模式的に表した図である。図１１（ａ）、（ｂ）は１回目のデータ記録及び描画を終えたときの状態を表しており、図１１（ｃ）、（ｄ）は２回目のデータ記録及び描画を終えたときの状態を表している。図示の通り、描画層に形成される画像は、光ディスク１の中心を中心とする円形の画像である。図１１（ａ）、（ｂ）に示すように、画像（レーザ光により変色されられた領域）の大きさは、データ記録層におけるデータ記録済み量に応じた大きさとなっている。よって、図１１（ａ）、（ｂ）と、図１１（ｃ）、（ｄ）とを比較すると分かるように、記録済みデータ量が増加するに従って、描画層において変色した領域が光ディスク１の中心から同心円状にディスク外縁に向かって徐々に大きくなる。このとき、図１１（ｂ）に示した描画領域と、図１１（ｂ）に示した描画領域と図１１（ｄ）に示した画像領域との差分領域とを、それぞれ異なる階調で表現してもよい。また、図１１（ｂ）に示した描画領域と、図１１（ｂ）に示した描画領域と図１１（ｄ）に示した画像領域との差分領域とに、それぞれ異なる模様を形成するようにしてもよい。このようにすれば、利用者が光ディスク１をレーベル面から見たときに、それぞれのデータ記録時に記録されたデータのサイズをおおよそ把握することができる。また、描画層に例えば美しい模様や面白みのある画像を形成することで、利用者に興味を抱かせることもできる（以下の、図１２〜１４において同じ）。
【００３９】
次の図１２の例では、描画層に形成される画像は、光ディスク１の光ディスクの外縁に沿って形成された扇形の画像である。なお、図１２（ａ）、（ｂ）は１回目のデータ記録及び描画を終えたときの状態を表しており、図１２（ｃ）、（ｄ）は２回目のデータ記録及び描画を終えたときの状態を表しており、図１２（ｅ）、（ｆ）は３回目のデータ記録及び描画を終えたときの状態を表している。これらの図に示すように、画像（レーザ光により変色されられた領域）の大きさは、データ記録層におけるデータ記録済み量に応じた大きさとなっている。よって、図１２（ａ）、（ｂ）と、図１２（ｃ）、（ｄ）と、図１２（ｅ）、（ｆ）とを比較すると分かるように、記録済みデータ量が増加するに従って、描画層において描画される扇形の中心角が徐々に大きくなる。
【００４０】
次の図１３の例も、描画層に形成される画像は、光ディスク１の光ディスクの外縁に沿って形成された扇形の画像であるが、図１２と異なるのは、扇形の径方向の大きさがデータ記録済み量に応じて大きくなっている点である。図１３（ａ）、（ｂ）は１回目のデータ記録及び描画を終えたときの状態を表しており、図１３（ｃ）、（ｄ）、（ｅ）、（ｆ）は２回目のデータ記録及び描画を終えたときの状態を表しており、図１３（ｇ）、（ｈ）は３回目のデータ記録及び描画を終えたときの状態を表している。なお、図１３（ｄ）、（ｅ）、（ｆ）はそれぞれ、２回目の描画を終えたときの描画の状態のバリエーションを表している。例えば図１３（ｆ）に示すように、記録済みデータ量又は記録可能データ量（図では記録可能データ量）を文字で表した画像を白抜きで描画するようにしてもよい。この白抜き画像は、描画層においてレーザ光が照射されて変色させられた領域において、文字に相当する領域に対してはレーザ光を照射させないことで形成することができる。このように文字で表現することで、利用者は記録済みデータ量又は記録可能データ量をより正確に認識することが可能となる。また、データを記録することができなくなれば、図１３（ｈ）に示すように、「Finalized」という文字を表した画像を白抜きで描画するようにしてもよい。このようにすれば、利用者はこれ以上データを記録することができないことを確実に知ることができる。なお、図１３において、黒色で塗りつぶした「画像追記した領域」と、斜線で埋めた「画像追記した領域」とがあるが、これは既に画像を描画済みの領域と、画像を新たに追記した領域とを区別しやすくするためにすぎず、両者の領域が必ず異なる模様や濃度の画像であることを意味しているわけではない（図１４において同じ）。
【００４１】
次の図１４の例は、記録済みデータ量が増加するに従って、描画層において変色した領域が光ディスク１の中心から同心円状に当該ディスクの外縁に向かって徐々に大きくなる場合において、記録可能データ量を文字で表した画像を白抜きで描画したものである。なお、図１４（ａ）、（ｂ）は１回目のデータ記録及び描画を終えたときの状態を表しており、図１４（ｃ）、（ｄ）は２回目のデータ記録及び描画を終えたときの状態を表しており、図１４（ｆ）、（ｇ）は３回目のデータ記録及び描画を終えたときの状態を表している。この場合、図１４（ｂ）に示した画像に対して、図１４（ｅ）に示すような画像を追記することで、最終的に図１４（ｄ）に示すような画像が形成されることになる。
【００４２】
次に、システム制御部５６による画像データの作成手法の詳細を説明する。
図１５は、原画像データと描画用画像データの座標位置の関係を示す。図１５において白抜きのリングで示された領域が、光ディスク１における描画可能な領域を示す。原画像データを構成する各面素の座標位置は、ここでは原画像の最下端部の位置をy軸方向の原点とし、原画像の最左端郡をｘ軸方向の原点位置とする直交座標（ｘ，ｙ）でそれぞれ表
されている。原画像の座標のｘ軸方向の最大値をＸ、ｙ軸方向の最大値をＹとすると、原
画像の中心位置（光ディスク１の回転中心位置に対応する）の座標は（Ｘ／２，Ｙ／２）
で表される。
【００４３】
一方、描画は光ディスク１を回転させながら光ピックアップ３４をディスク径方向に順次移送して行うので、描画に用いる描画用画像データは、光ディスク１の回転中心位置を極とする極座標で表すのが便利である。そこで、ここでは描画用画像データを構成する各画素の座標位置を、直交座標上の原画像の中心位置（Ｘ／２，Ｙ／２）を極とし、直交座
標のｘ軸方向に平行な方向を原線とし、動径をrとし、偏角θが原線から左回り方向に増
加する極座標（r，θ）でそれぞれ表す。これによれば、描画用画像データの任意の極座標位置（r，θ）は、原画像データの直交座標位置（Ｘ／２十rcosθ，Ｙ／２＋rsinθ）
に該当することになる。
【００４４】
図１６は、原画像データに基づいて描画用画像データを作成する手順を示す図である。ここでは、上述した以外のパラメータを次のように定義する。
・「RO」‥光ディスク１の描画領域の書き始め半径、すなわち描画領域の最内周半径位置  （図１１〜１４参照）。
・「Rl」‥光ディスク１の描画領域の書き終わり半径、すなわち描画領域の最外周半径位  置（図１１〜１４参照）。
・「△r」：光ピックアップ３４のディスク径方向単位送り星、すなわちステッピングモ  ータ３６の１マイクロステップによる光ピックアップ３４の移動量である。この△rの  値は、「ステッピングモータ３６の１フルステップ動作による光ピックアップ３４のデ  ィスク径方向への送り量N」と「ステッピングモータ３６のマイクロステップ動作の分  割数M」の情報に基づき、N／Mの演算で求められる。
・「△θ」：周方向に隣接して描画する画素間の偏角差。この偏角差△θの値はディスク  １周あたりの描画数に基づき、△θ＝２π／１周あたりの描画数の演算で求められる。
・「L」：同一径方向位置の重ね書き回数（整数）
【００４５】
図１６について説明する。始めに、システム制御部５６は、光ディスク１の描画領域の書き始め位置（r＝RO・θ＝０）について（ステップＳ２１）、対応する直交座標上の位置（ｘ，ｙ）を次の（１）式、（２）式により算出する（ステップＳ２２）。
ｘ＝Ｘ／２＋rcosθ・・・（１）
ｙ＝Ｙ／２＋rsin∂・・・（２）
次いで、システム制御部５６は、各画素の位置が直交座標で表されている原画像データから、この求められた位置（ｘ，ｙ）の画素データ（階調データ）を抽出する（ステップＳ２３）。なお、（１）式、（２）式で算出されたｘ，ｙが小数部分を有する場合は、小数部分を切り捨てるあるいは四捨五入する等の丸め処理をして整数に直してから、該当する位置の画素データを抽出する。
【００４６】
続いて、システム制御部５６は、同一径方向位置で周方向に順次隣接して描画する画素位置（r＝RO，θ＝△θ）、（r＝RO，θ＝２△θ）、（r＝RO，θ＝３△θ）、…について、同様にして（１）式、（２）式から該当する直交座棟上の位置（ｘ，ｙ）を順次求め、原画像データからこれら求められた各位置（ｘ，ｙ）の画像データを順次抽出していく（ステップＳ２４）。そして、この操作を重ね書き回数Lで指定された周回数行ったら（すなわち、θ＝２π×Lに達したら）、書き始め半径位置ROについて重ね書き回数分の描画用画像データの生成が終了する（ステップＳ２５）。
【００４７】
続いて、システム制御部５６は、θの値を０に戻して（ステップＳ２６）、次の半径位置r＝RO＋△rについても同様にして、θ＝０からθ＝２π×Lまで△θごとに、描画用画像データを構成する画素データを原画像データから順次抽出していく。そして、この操作を半径位置を△rずつ増加させながら繰り返して（ステップＳ２７）、書き終わり半径位置Rlに達したら（ステップＳ２８）、描画領域全体について描画用画像データが原画像データから取得されたことになるので、描画用画像データの作成を終了する（ステップＳ２９）。このようにして、直交座標で表された原画像データから、極座標に変換された描画用画像データが作成される。
【００４８】
次に、システム制御部５６による描画方法の詳細について説明する。
図１７において、システム制御部５６は、描画開始前に光ピックアップ３４の対物レンズのディスク径方向光軸位置を、書き始め半径位置ROに位置決めする（ステップＳ４１）。この制御ほ、ステッピングモータ３６を駆動して光ピックアップ３４を内周方向に一旦戻し、最内周の原点位置（リミットスイッチで検出される位置、或いはストッパで機械的に係止される位置）を検出したら、その位置から対物レンズが書き始め半径位置ROに到達するステップ数分、ステッピングモータ３４を駆動することにより実現される。続いて、振動信号発生器４６から振動信号を発生させて、光ピックアップ３４のトラッキングアクチュエータに供給して、対物レンズ３３をディスク径方向に一定周期で振動させる（ステップＳ４２）。振動の周波数Hzをスピンドル回転数rpsよりも大きな値に設定することにより、スピンドル１回転あたりに１周期以上振動させる。この振動は描画が終了するまで継続して行われる。なお、描画時はトラッキングサーボはオフにされる。
【００４９】
振動信号により対物レンズを振動させる場合、「振動の周波数Hz／スピンドル回転数rps」の値が循環桁数の長い循環小数となるように、「振動の周波数Hz」と「スピンドル回転数rps」の値を設定するのが望ましい。すなわち、このような設定にすると、重ね書き回数が多くても、レーザ光の走査位置が重ね書き中に相互に重ならないようにすることができる。例えばスピンドル回転数１３１．２５rpsに対して振動の周波数を２００Hzに設定すれば、「振動の周波数／スピンドル回転数rps」の値は循環桁数の長い循環小数となる。
【００５０】
スピンドルモータ３０が所定の回転数で安定にCAV制御され、かつ光ピックアップ３４の対物レンズ３３のディスク径方向の光軸位置が書き始め半径位置ROに位置決めされた状態に達したら、任意の周方向位直から描画が開始される。この描画を開始した周方向位置をθ＝０と定める（ステップＳ４３）。描画中は、スピンドルモータ３０のCAV制御に用いられているのと同じ水晶発振クロックを分周して作成したクロックをカウントして、θ＝０の位置に対する周方向位置を前記△θ（周方向に隣接して描画する画素問の偏角差）ごとに検出する。そして、θ＝２π×Lに達したら（ステップＳ４４）、重ね書き回数Lで指定された回数だけ周回したものと判断して、ステッピングモータ３６を１マイクロステップ分駆動して、対物レンズ３３の光軸位置（振動の中央位置）をディスク外周方向に距離△r分移動させる（ステップＳ４５）。θ＝２π×Lでθの計数値が０に戻り（ステップＳ４６）、そのままθの計数を繰り返す。距離△rの移動を、θが２π×Lに達するごとに行い、ディスク径方向位置が書き終わり半径位置Rlに達したら（ステップＳ４７）、制御を終了する（ステップＳ４８）。
【００５１】
なお、上記のように描画を開始した任意の周方向位置をθ＝０とするのに代えて、光ディスク１の描画領域よりも内周側に、特定の認識コードを形成し、描画に先立ち光ピックアップ３４でこの認識コードの周方向位置を検出し、その位置をθ＝０と定めて、この周方向位置から描画を開始することもできる。このようにすれば、光ディスク１を光ディスク記録装置１２から出し入れしても、θ＝０の位置は変わらないので、描画の書き継ぎを行うことができる。
【００５２】
エンコーダ５２は、スピンドルモータ３０のCAV制御および光ピックアップ３４の対物レンズ３３のディスク径方向光軸位置の検出に用いられているのと同じ水晶発振クロックを分周して作成したクロックを使用して、描画モードに応じたエンコード速度｛エンコードクロック周波数（＝４．３２１８Mピット）×エンコード速度倍率｝で描画用画像データを順次エンコードして、該画素データを構成する階調データに応じてデューティが変化する描画信号（NRZI断片信号WEN）を順次生成する。描画は、このようにして順次エンコードされた描画信号（図９のNRZI断片信号WEN）で光ピックアップ３４のレーザダイオード７０を駆動して、レーザ光を変調することにより実現される。すなわち、描画を開始したディスク周方向位置をθ＝０として、光ピックアップの対物レンズ３３の光軸位置（振動の中央位置）が光ディスク１上の任意の位置（r，θ）にあるときに、該当する位置（r，θ）の画素データに基づいて生成されたNRZI断片信号WENで変調したレーザ光で描画が行われるように、対物レンズ３３のディスク周方向およびディスク径方向の光軸位置（振動の中央位置）とエンコーダ５２のエンコード動作とが同期する。スピンドルモータ３０のCAV制御とエンコーダ５２によるエンコード処理は、同じ水晶発振クロックに基づいて行われるので、この同期は容易に実現される。
【００５３】
図１８は、重ね書き回数を「３」に設定した場合の１つの径方向位置での描画用レーザ光の走査位置の軌跡の一例を示す。図１８では、説明の便宜上、光ディスク１の円周を直線に展開して示している。なお、図１８の例でほ、各パラメータを次のように設定している。
・ステッピングモータ３６の１フルステップ動作による光ピックアップ３４のディスク径方向への送り量＝９５μｍ
・ステッピングモータ３６のマイクロステップ動作の分割数M＝８
・ステッピングモータ３６の１マイクロステップによる光ピックアップ３４の移動量△r＝N／M＝９５μｍ／８
・レーザ光の振動振幅＝振動の中央位置に対し土５０μｍ
・レーザ光の振動数Hz／スピンドル回転数rps＞l（循環小数）
【００５４】
図１８によれば、レーザ光は振動動作により、１マイクロステップによる光ピックアップ３４の移動量△rよりも広いディスク径方向範囲を走査している。しかも、レーザ光の振動数Hｚ／スピンドル回転数rpsが循環小数となるように設定されているので、レーザ光の軌跡が周回ごとに相互に重ならない。したがって、レーザ光による個々の描画線は細くても、隙間の少ない描画が実現される。
【００５５】
以上に説明した実施形態によれば、光ディスクのデータ記録層に記録されたデータの量である記録済みデータ量又はデータ記録層に記録可能なデータの量である記録可能データ量を特定し、レーザ光を描画層に焦点を合わせて照射させ、その描画層においてレーザ光が照射された領域を変色させることで、特定された記録済みデータ量又は記録可能データ量を表す画像を描画層に描画する。よって、光ディスクにおいて記録可能なデータ量を利用者が認識することができる。また、画像の階調を制御することによって、データ記録回数に応じて描画層に描く画像の濃度や模様を変化させたりすることで、利用者が、それぞれのデータ記録時に記録されたデータのサイズをおおよそ把握することができたり、或いは、利用者に興味や面白みを抱かせることも可能となる。また、光ディスクにおいてファイナライズ処理が行われてデータを記録することができなくなれば、「Finalized」という文字を表した画像を描画するので、利用者はこれ以上データを記録することができないことを確実に知ることができる。
【００５６】
以上述べた実施形態を次のように変形してもよい。
上述した実施形態においては、光ディスク１に画像を描く際に、光ディスク記録装置１２が画像データを生成していたが、ホスト装置１０がこれを生成して光ディスク記録装置１２に供給するようにしてもよい。
【００５７】
また、画像形成を行うたびに、データ記録時の日時や時刻に関わるタイムスタンプ情報を画像として形成するようにしてもよい。タイムスタンプ情報は、ホスト装置１０から光ディスク記録装置１２に随時供給すればよい。また、ユーザ名を予め登録しておき、かかるユーザ名を示す画像として自動形成するようにしてもよい。ユーザ名の登録は、ユーザがホスト装置１０を操作することによって行う。そして、データ記録をするたびに自動形成、あるいは、データ記録をファイナライズ処理した最終時に自動形成するようにしてもよい。
【００５８】
光ディスク１は各メーカにより提供されるが、メーカごとにデータ記録層や描画層の特性は異なっていることが考えられる。たとえば、データ記録層の熱吸収率が異なる場合は、ピットを形成するために照射すべきレーザ光のレベルや変色させるために照射すべきレーザ光のレベルが異なることも想定される。描画層にしても同様である。このため、予め多数のメーカの光ディスク１に対してデータ記録及び描画を実際に行い、どの程度のレーザ光を照射するのが適しているのかを求めておき、かかる値をメモリ６２に格納しておくようにしてもよい。この場合、光ディスク１の種類を示す識別情報（ディスクＩＤ情報）と対応付けて格納しておけば、セットされた光ディスク１のディスクＩＤ情報を読み取った上で、ディスク種類に沿ったレーザ光照射をすることができる。
【００５９】
光ディスクの描画層は、熱又は光の少なくともいずれか一方に応じて変色する変色層であればよい。また、光ディスク１における描画層の位置は、図１に示したものに限らず、要するにデータ記録層とは異なる（光ディスク１の記録面又はレーベル面からの距離が異なる）位置に設けられていればよい。
【００６０】
また、描画層に形成される画像の形状は実施形態に示したものに限らない。例えば、記録済みデータ量が増加するに従って、描画層においてレーザ光が照射されて変色させられた領域が光ディスクの中心から当該ディスクの外縁に向かって螺旋状に長くなるような画像であってもよい。また、実施形態では、画像を多階調で表現していたが、階調は必ずしも必須ではなく、画像を形成するか形成しないかという２値画像であってもよい。
【００６１】
なお、上記実施形態では「ステッピングモータ３６のマイクロステップ動作の分割数M」を「予め設定されている描画条件」として固定にしたが、これに代えてこの分割数Mを「操作者が設定可能な描画条件」としてもよい。これにより、光ディスク記録装置１２は、描画時に、マイクロステップ駆動用駆動／パルスA，B（図５）の波形を、設定された分割数Mに応じた段数に変更して、分割数Mに応じたマイクロステップ移動量で径方向に順次移動して描画を行う。この場合、原画像データから、操作者によって設定（選択）された分割数Mに応じたマイクロステップ移動量ごとの径方向位置の画素データを抽出した描画用画像データが用いられる。
【図面の簡単な説明】
【００６２】
【図１】本発明の実施形態に係る光ディスクの断面図である。
【図２】本実施形態に係るシステム全体の構成を示す図である。
【図３】ステッピングモータの構成例を示す模式図である。
【図４】ステッピングモータをフルステップ駆動する場合の駆動パルスの電圧波形図である。
【図５】ステッピングモータをマイクロステップ駆動する場合の駆動パルスの電圧波形図である。
【図６】エンコーダの構成を示すブロック図である。
【図７】EFMフレームのデータ構造とパルス信号DOTXの関係を示す図である。
【図８】パルス信号DOTXの階調ごとの波形の−例を示す図である。
【図９】エンコーダの描画時の動作波形図である。
【図１０】システム制御部によって実行される処理を示すフローチャートである。
【図１１】光ディスクの記録面から見たときのデータ記録状況と、光ディスクのレーベル面から見たときの描画状況とを模式的に表した図である。
【図１２】光ディスクの記録面から見たときのデータ記録状況と、光ディスクのレーベル面から見たときの描画状況とを模式的に表した図である。
【図１３】光ディスクの記録面から見たときのデータ記録状況と、光ディスクのレーベル面から見たときの描画状況とを模式的に表した図である。
【図１４】光ディスクの記録面から見たときのデータ記録状況と、光ディスクのレーベル面から見たときの描画状況とを模式的に表した図である。
【図１５】原画像データと描画用画像データの座標位置の関係を示す図である。
【図１６】システム制御部が原画像データに基づいて描画用画像データを作成する処理を示すフローチャートである。
【図１７】システム制御部が描画を行う処理を示すフローチャートである。
【図１８】重ね書き回数を「３」に設定した場合の１つの径方向位置での描画用レーザ光の走査位置の軌跡の一例を示す図である。
【符号の説明】
【００６３】
１０……ホスト装置、１２……光ディスク記録装置、３４……光ピックアップ（照射手段）、５６……システム制御部（特定手段、データ記録手段、描画手段）。
【図１】
2008034019.tif 000003
【図２】
2008034019.tif 000004
【図３】
2008034019.tif 000005
【図４】
2008034019.tif 000006
【図５】
2008034019.tif 000007
【図６】
2008034019.tif 000008
【図７】
2008034019.tif 000009
【図８】
2008034019.tif 000010
【図９】
2008034019.tif 000011
【図１０】
2008034019.tif 000012
【図１１】
2008034019.tif 000013
【図１２】
2008034019.tif 000014
【図１３】
2008034019.tif 000015
【図１４】
2008034019.tif 000016
【図１５】
2008034019.tif 000017
【図１６】
2008034019.tif 000018
【図１７】
2008034019.tif 000019
【図１８】
2008034019.tif 000020